(57)【要約】【課題】電動工具（「電動ドライバー／電動ドリル」をいう）を動力源として用いた、全体として小型で安価な水門開閉器の補助駆動装置を提供する。【解決手段】水門開閉器１１のケーシング１６に取付けられるハウジング１９と、ハウジング１９内にあって第１の軸受３５、３６によって支持され、使用にあっては水平軸１５に連結される第１の駆動軸２１と、第１の駆動軸２１に取付けられた第１のスプロケット２３と、第２の軸受２５ａ、２５ｂに回転可能に設けられた第２の駆動軸２５に固着された第２のスプロケット２６と、第１、第２のスプロケット２３、２６を連結するチェーン２７とを有し、第２の駆動軸２５には、電動工具２９のチャック３０に取付けられた断面多角形の回転伝達具３１の係合手段３２が設けられている。【選択図】図１
2016113778.tif 000002
【特許請求の範囲】
【請求項１】
手動ハンドルが取付け可能な水平軸を備えたゲートの昇降機構と、前記昇降機構が内装されたケーシングとを有する水門開閉器に付設する補助駆動装置であって、
前記ケーシングに取付けられるハウジングと、前記ハウジング内にあって第１の軸受によって支持され、使用にあっては前記水平軸に連結される第１の駆動軸と、該第１の駆動軸に取付けられた第１のスプロケットと、前記ハウジング内に配置された第２の軸受に回転可能に設けられた第２の駆動軸と、該第２の駆動軸に固着された第２のスプロケットと、前記第１、第２のスプロケットを連結するチェーンとを有し、前記第２の駆動軸には、電動工具のチャックに取付けられた断面多角形の回転伝達具の係合手段が設けられていることを特徴とする水門開閉器の補助駆動装置。
【請求項２】
請求項１記載の水門開閉器の補助駆動装置において、前記ハウジングには前記第２の駆動軸に前記回転伝達具が正規の連結状態を保つ保持金具が設けられていることを特徴とする水門開閉器の補助駆動装置。
【請求項３】
請求項１又は２記載の水門開閉器の補助駆動装置において、前記第１駆動軸には、前記手動ハンドル又は別の手動ハンドルが取付け可能なハンドル取付け手段が設けられていることを特徴とする水門開閉器の補助駆動装置。
【請求項４】
請求項１〜３のいずれか１記載の水門開閉器の補助駆動装置において、前記ハウジング内には、前記チェーンのテンション機構が設けられていることを特徴とする水門開閉器の補助駆動装置。
【請求項５】
請求項１〜４のいずれか１記載の水門開閉器の補助駆動装置において、前記電動工具の電源は充電式の電池であることを特徴とする水門開閉器の補助駆動装置。
【発明の詳細な説明】
【技術分野】
【０００１】
本発明は、農業用水路又は揚水場の水路等の各種の水路に配置された水門開閉器に取付けて使用し、特に、回転駆動源として電動工具を用いる水門開閉器の補助駆動装置に関する。
【背景技術】
【０００２】
比較的小型の従来の水門開閉器は、ハンドル操作によって駆動軸を回転し、歯車機構によって減速し、大きな力を発生させて水門の開閉を行うようにしている。
しかしながら、人力で水門を開閉する場合には、十分な力と時間を必要とし、極めて作業性が悪いという問題があった。
そこで、特許文献１に示すように、電池駆動の電動工具をハウジング（ケーシング）内に内蔵し、ドリル等を取付けるチャックに駆動軸を装着し、歯車によって減速し、水門開閉器の駆動軸を時計方向又は反時計方向に回転駆動する構造となった電動式の水門開閉器が提案されていた。
【先行技術文献】
【特許文献】
【０００３】
【特許文献１】特開２０１１−８９２８６号公報
【発明の概要】
【発明が解決しようとする課題】
【０００４】
しかしながら、特許文献１記載の電動水門開閉器においては、各水門開閉器毎に電動工具を必要とし、更にハウジング内に電動工具を収納する空間も必要であるので、全体的に嵩張るという問題があった。
【０００５】
本発明はかかる事情に鑑みてなされたもので、電動工具（「電動ドライバー／電動ドリル」をいう）を動力源として用いた、全体として小型で安価な水門開閉器の補助駆動装置を提供することを目的とする。
【課題を解決するための手段】
【０００６】
前記目的に沿う第１の発明に係る水門開閉器の補助駆動装置は、手動ハンドルが取付け可能な水平軸を備えたゲートの昇降機構と、前記昇降機構が内装されたケーシングとを有する水門開閉器に付設する補助駆動装置であって、
前記ケーシングに取付けられるハウジングと、前記ハウジング内にあって第１の軸受によって支持され、使用にあっては前記水平軸に連結される第１の駆動軸と、該第１の駆動軸に取付けられた第１のスプロケットと、前記ハウジング内に配置された第２の軸受に回転可能に設けられた第２の駆動軸と、該第２の駆動軸に固着された第２のスプロケットと、前記第１、第２のスプロケットを連結するチェーンとを有し、前記第２の駆動軸には、電動工具のチャックに取付けられた断面多角形の回転伝達具の係合手段が設けられている。
【０００７】
第２の発明に係る水門開閉器の補助駆動装置は、第１の発明に係る水門開閉器の補助駆動装置において、前記ハウジングには前記第２の駆動軸に前記回転伝達具が正規の連結状態を保つ保持金具が設けられている。
【０００８】
第３の発明に係る水門開閉器の補助駆動装置は、第１、第２の発明に係る水門開閉器の補助駆動装置において、前記第１駆動軸には、前記手動ハンドル又は別の手動ハンドルが取付け可能なハンドル取付け手段が設けられている。
【０００９】
第４の発明に係る水門開閉器の補助駆動装置は、第１〜第３の発明に係る水門開閉器の補助駆動装置において、前記ハウジング内には、前記チェーンのテンション機構が設けられている。
【００１０】
そして、第５の発明に係る水門開閉器の補助駆動装置は、第１〜第４の発明に係る水門開閉器の補助駆動装置において、前記電動工具の電源は充電式の電池である。
【発明の効果】
【００１１】
第１〜第５の発明に係る水門開閉器の補助駆動装置は、動力源にハウジングに取付け取外しが容易な電動工具を用いているので、電動工具を収納する部屋を設ける必要がなく、装置全体の小型化が図れ、必要な場合は、一台の電動工具で複数の水門開閉器を駆動することができる。
【００１２】
特に、電池駆動型の電動工具を用いた場合は、電源のない場所に設置される水門開閉器であっても操作できる。
【図面の簡単な説明】
【００１３】
【図１】本発明の一実施の形態に係る水門開閉器の補助駆動装置の一部省略側断面図である。
【図２】同側面図である。
【図３】同部分拡大側面図である。
【図４】同一部省略正面図である。
【図５】（Ａ）はハウジングの一部省略正面図、（Ｂ）は第１の駆動軸周りの説明図、（Ｃ）は変形例に係る第１の駆動軸周りの説明図である。
【図６】（Ａ）、（Ｂ）はそれぞれ電動工具の側面図及び正面図である。
【発明を実施するための形態】
【００１４】
続いて、添付した図面を参照しながら、本発明を具体化した実施の形態について説明する。
図１〜図６に示すように、本発明の一実施の形態に係る水門開閉器の補助駆動装置１０（以下、単に、「補助駆動装置１０」という）を取付ける水門開閉器１１は、例えば、水門（ゲート）１１ａを昇降するスクリュー軸１２と、スクリュー軸１２に噛合する雌ねじを内側に有するウォームホイル１３と、ウォームホイル１３を駆動するウォーム１４と、ウォーム１４を駆動する水平軸１５と、これらのケーシング１６とを有する。そして、水平軸１５、ウォーム１４、ウォームホイル１３、及びスクリュー軸１２が水門１１ａの昇降機構１８を形成する。また、水平軸１５の端部は多角形穴又は多角形軸となって、この多角形穴又は多角形軸に係合する図示しない手動ハンドルが取付け可能となっている。
【００１５】
この補助駆動装置１０の主要部は、Ｌ字状の２つの連結金具１９ａ（図２〜図４参照）でケーシング１６に固定保持されたハウジング（カバー枠）１９内に配置され、水平軸１５の端部に一端が取外し可能に固定され、他端には手動ハンドル２０が取付け可能な角軸５６（角穴でもよい）が設けられた第１の駆動軸２１と、第１の駆動軸２１に取付けられた第１のスプロケット２３と、ハウジング１９内に配置された第２の軸受の一例であるベアリング２５ａ、２５ｂによって両端を支持されて回転可能に設けられた第２の駆動軸２５と、第２の駆動軸２５に固着された第２のスプロケット２６と、第１、第２のスプロケット２３、２６を連結するチェーン２７とを有している。
【００１６】
ベアリング２５ａ、２５ｂは軸受支持部材２５ｃ、２５ｄによってハウジング１９に取付けられている。更に、第１の駆動軸２１はハンジング１９に取付けられた軸受支持部材３３、３４によって支持されるベアリング３５とブッシュ３６からなる第１の軸受によって回転自由に保持されている。
【００１７】
軸受支持部材３３、３４の周囲のハウジング１９には、複数（８本）の雌ねじ孔３３ａが同一ピッチで設けられ、前記した２本の連結金具１９ａをボルトによって固定し、ハウジング１９をケーシング１６に固定しているが、雌ねじ孔３３ａの取付け位置を変えることによって、図４に示すように、水平軸１５に対するハンジング１９の取付け角度を４５度単位で変更できる。なお、ハウジング１９には円形の取付け板１９ｂが設けられ、取付け板１９ｂを介してハウジング１９が連結金具１９ａに固定されている。
【００１８】
第２の駆動軸２５には、電動工具（例えば、電動ドライバー、電動ドリルをいう、図６参照）２９のチャック３０に取付けられた断面多角形の回転伝達具の一例である六角棒３１が嵌入する六角孔３２（係合手段の一例）が設けられている。なお、図６（Ａ）、（Ｂ）に電動工具２９を示すが、底部に電動工具２９の電源となる充電式の電池２９ａが設けられている。
第１のスプロケット２３の歯数は第２のスプロケット２６の歯数より多く（例えば、２〜４倍）、第１、第２のスプロケット２３、２６及びチェーン２７が一つの減速機を構成し、第２の駆動軸２５に加えられる電動工具２９の回転力（トルク）を増加している。
【００１９】
また、ハウジング１９には、第２の駆動軸２５に電動工具２９に取付けた六角棒３１が正規の連結状態（即ち、水平状態）を保つように、図１〜図３に示すように、保持金具３８が設けられ、電動工具２９のチャック３０を含むホルダー３９が嵌入するようになっている。更に、保持金具３８には突出片４０が設けられ電動工具２９に取付けられたバンド状の連結金具４１の対向する突出部４２、４３に係合し、電動工具２９の駆動時に発生する反動回転力を保持する回り止めを図っている。なお、突出部４２、４３には貫通孔４４が設けられ、必要な場合、ボルト、ナット等により突出部４２、４３の隙間を縮め、更に連結金具４１を電動工具２９に固定できる構造となっている。また、突出部４２、４３の隙間に突出片４０が嵌入し、回り止めを図っている。
【００２０】
図４、図５（Ａ）に示すように、ハウジング１９内であって、第１、第２のスプロケット２３、２６を連結するチェーン２７には、テンション機構４６が設けられている。このテンション機構４６はアイドルスプロケット４７と、その取付け金具４８とを有し、ボルト４９を回転することによって、その位置を変えて、チェーン２７にテンションを与えることができる。なお、５０はボルト４９をその位置に固定するナットを、５１、５２は取付け金具４８をその場固定するボルトを示す。
【００２１】
図５（Ｂ）にはこの実施の形態に係る補助駆動装置１０の第１の駆動軸２１を示すが、第１の駆動軸２１の一方は、既設の水門開閉器１１の水平軸１５の多角形穴に嵌入する角軸部５４を、第１の駆動軸２１の他方には、手動ハンドル２０を取付け可能なハンドル取付け手段の一例である角軸（四角棒）５６が設けられている。
図５（Ｃ）には変形例に係る第１の駆動軸５７を示すが、一方に角軸部５４を他方に角穴（四角穴）５８を有しており、手動ハンドルの差し込み部の種類によって適宜変更する。
【００２２】
この補助駆動装置１０の使用方法について説明する。製造された補助駆動装置１０を、２本の連結金具１９ａ及びボルト６０、６１と予め用意されたナットで固定する。具体的には、ボルト６０、６１の頭部を下にしてケーシング１６の中間天井部６１ａを貫通し、ナット６２、６３によりボルト６０、６１を固定する。次に、ボルト６０、６１に下ナット６４、６５を螺入し、連結金具１９ａの一方側に設けられた所定の取付け孔をボルト６０、６１に挿通し上ナット６６、６７により固定する。連結金具１９ａの他方側にはハウジング１９を取付けるが、図４に示すように、予め定められた任意の角度でハウジング１９を取付け可能である。
【００２３】
次に、六角棒３１が装着された電動工具２９をハウジング１９に取付けるが、予め、突出部４２、４３を有する連結金具４１を電動工具２９に取付け、補助駆動装置１０の突出片４０を突出部４２、４３の間に入れるようにして、チャック３０を保持金具３８内に入れる。以上の操作によって、電動工具２９の装着が完了する。この状態で六角棒３１が六角孔３２に装着される。
【００２４】
この状態で、電動工具２９を正転又は逆転させて、第２のスプロケット２６を駆動し、チェーン２７を介して第１のスプロケット２３を回転させ、第１の駆動軸２１を回転させる。これによって水平軸１５が回転し、水門１１ａが開閉する。
電動工具２９を使用しない場合は、図１に示すように手動ハンドル２０を回して第１の駆動軸２１を回転させる。
【００２５】
本発明は前記した実施の形態に限定されるものではなく、本発明の要旨を変更しない範囲でその構成を変更することもできる。
【符号の説明】
【００２６】
１０：水門開閉器の補助駆動装置、１１：水門開閉器、１１ａ：水門、１２：スクリュー軸、１３：ウォームホイル、１４：ウォーム、１５：水平軸、１６：ケーシング、１８：昇降機構、１９：ハウジング、１９ａ：連結金具、１９ｂ：取付け板、２０：手動ハンドル、２１：第１の駆動軸、２３：第１のスプロケット、２５：第２の駆動軸、２５ａ、２５ｂ：ベアリング、２５ｃ、２５ｄ：軸受支持部材、２６：第２のスプロケット、２７：チェーン、２９：電動工具、２９ａ：電池、３０：チャック、３１：六角棒、３２：六角孔、３３、３４：軸受支持部材、３３ａ：雌ねじ孔、３５：ベアリング、３６：ブッシュ、３８：保持金具、３９：ホルダー、４０：突出片、４１：連結金具、４２、４３：突出部、４４：貫通孔、４６：テンション機構、４７：アイドルスプロケット、４８：取付け金具、４９：ボルト、５０：ナット、５１、５２：ボルト、５４：角軸部、５６：角軸、５７：第１の駆動軸、５８：角穴、６０、６１：ボルト、６１ａ：中間天井部、６２、６３：ナット、６４、６５：下ナット、６６、６７：上ナット
【図１】
2016113778.tif 000003
【図２】
2016113778.tif 000004
【図３】
2016113778.tif 000005
【図４】
2016113778.tif 000006
【図５】
2016113778.tif 000007
【図６】
2016113778.tif 000008